(57)【要約】      （修正有）【課題】複数の羽板を有する清掃対象物の清掃を簡便に行うことができる清掃具を提供する。【解決手段】本開示の清掃具１は、例えばスポンジ材のような弾性を有する部材である。そして当該清掃具１における清掃対象物に当接する側の端部には、複数の突出部１２が設けられている。複数の突出部１２は、所定方向に並べて配置され、略同一方向に向かって突出するように構成されている。上述した複数の突出部１２の突出方向は、上記所定方向に対して傾斜する方向である。【選択図】図１
0003216115.tif 000002
【実用新案登録請求の範囲】
【請求項１】
清掃具であって、
当該清掃具は、弾性を有する部材であって、
当該清掃具における清掃対象物に当接する側の端部には、所定方向に並べて配置され、略同一方向に向かって突出する複数の突出部が設けられており、
前記複数の突出部の突出方向は、前記所定方向に対して傾斜する方向である、清掃具。
【請求項２】
清掃具であって、
基部と、
前記基部に設けられる複数の突出部であって、所定方向に並べて配置され、略同一方向に向かって突出する形状である複数の突出部と、を備え、
前記所定方向と前記複数の突出部の突出方向と、を含む平面に関して、前記突出方向は、前記所定方向に対して傾斜する方向である、清掃具。
【請求項３】
請求項１または請求項２に記載の清掃具であって、
前記複数の突出部それぞれの突出方向の傾斜角度は、前記所定方向に関する前記突出部の位置に応じて徐々に変化する、清掃具。
【請求項４】
清掃具であって、
当該清掃具は、弾性を有する部材であって、
当該清掃具における清掃対象物に当接する側の面には、該面から内側に向かって略同一方向に延び、かつ、前記面に対して傾斜する方向に延びる複数のスリットが所定方向に並べて形成されている、清掃具。
【請求項５】
請求項４に記載の清掃具であって、
前記複数のスリットの前記面に対する傾斜角度は、前記所定方向に関する前記スリットの形成される位置に応じて徐々に変化する、清掃具。
【請求項６】
請求項１から請求項５のいずれか１項に記載の清掃具であって、
前記清掃具は、所定の把持具を連結するための連結部が設けられている、清掃具。
【請求項７】
請求項６に記載の清掃具であって、
前記連結部は、当該清掃具における周囲の部分よりも厚く形成された部分である、清掃具。
【請求項８】
請求項１から請求項７のいずれか１項に記載の清掃具であって、
前記清掃具は、前記突出部の少なくとも一部がスポンジ状の部材により構成されている、清掃具。
【考案の詳細な説明】
【技術分野】
【０００１】
本考案は、清掃具に関する。
【背景技術】
【０００２】
電車のクーラーの送風口など、長尺状の複数の羽板を並べたルーバーの清掃は、羽板が多く長いこと、及び羽板の両面の清掃が必要となることなどから、負担の大きい作業であった。従来、このようなルーバーの清掃を容易に行うために、特許文献１のように、羽板を挟み込むようにして用いる清掃具が提案されている。
【先行技術文献】
【特許文献】
【０００３】
【特許文献１】特開２０１１−２４８８０号公報
【考案の概要】
【考案が解決しようとする課題】
【０００４】
例えば天井に配置されたルーバーの清掃を行う場合など、ルーバーの清掃に手間が掛かる場面では、従来の清掃具は簡便に清掃が行えないという問題があった。
本考案の目的は、複数の羽板を有する清掃対象物の清掃を簡便に行うことができる清掃具を提供することである。
【課題を解決するための手段】
【０００５】
本開示における第１の態様の清掃具は、弾性を有する部材である。そして当該清掃具における清掃対象物に当接する側の端部には、所定方向に並べて配置され、略同一方向に向かって突出する複数の突出部が設けられており、前記複数の突出部の突出方向は、前記所定方向に対して傾斜する方向である。
【０００６】
清掃対象物の一例であるルーバーは空気の流出方向を制御するものであるため、各羽板は、例えば図４Ｂに示す羽板４２のように、目的とする空気の流出方向に羽板４２の主たる面が沿うように配置される。上述した本開示の第１の態様の清掃具は、羽板の間にスムーズに突出部が挿入されるため、羽板を複数有する清掃対象物を簡便に清掃することができる。
【０００７】
なお、ここで言う傾斜する方向とは、複数の突出部の並ぶ所定方向に対して斜めの方向を意味しており、所定方向と直交する方向は含まない。
本開示における第２の態様の清掃具は、基部と、複数の突出部とを備える。複数の突出部は、前記基部に設けられており、所定方向に並べて配置され、略同一方向に向かって突出する形状である。また、前記所定方向と前記複数の突出部の突出方向と、を含む平面に関して、前記突出方向は、前記所定方向に対して傾斜する方向である。
【０００８】
このような清掃具は、上記第１の態様の清掃具と同様に、羽板を複数有する清掃対象物を簡便に清掃することができる。
本開示における第３の態様の清掃具は、弾性を有する部材である。当該清掃具における清掃対象物に当接する側の面には、該面から内側に向って略同一方向に延び、かつ、前記面に対して傾斜する方向に延びる複数のスリットが所定方向に並べて形成されている。
【０００９】
このような清掃具は、上記第１の態様の清掃具と同様に、羽板を複数有する清掃対象物を簡便に清掃することができる。
なお、上述した第１の態様及び第２の態様の清掃具において、前記複数の突出部それぞれの突出方向の傾斜角度は、前記所定方向に関する前記突出部の位置に応じて徐々に変化するように構成されていてもよい。また、上述した第３の態様の清掃具において、前記複数のスリットの前記面に対する傾斜角度は、前記所定方向に関する前記スリットの形成される位置に応じて徐々に変化するように構成されていてもよい。
【００１０】
このように構成された清掃具であれば、羽板の角度が徐々に変化する清掃対象物であっても、羽板を良好に清掃することができる。
ところで、上述した第１〜第３態様の清掃具においては、所定の把持具を連結するための連結部が設けられていてもよい。このような清掃具であれば、把持具を連結して用いることができる。
【００１１】
なお、連結部は、当該清掃具における周囲の部分よりも厚く形成された部分であってもよい。この場合、例えば清掃具を挟圧することにより清掃具と連結する把持具によって、清掃具が適切に連結されることができる。
【００１２】
また、上述した第１〜第３態様の清掃具においては、清掃具は、前記突出部の少なくとも一部がスポンジ状の部材により構成されていてもよい。このような清掃具であれば、清掃具に適度な強度と弾性を付与することができ、清掃を好適に行うことができる。
【図面の簡単な説明】
【００１３】
【図１】図１Ａが実施形態の清掃具を示す正面図であり、図１Ｂが右側面図であり、図１Ｃが背面図である。
【図２】清掃具を柄部材に取り付けた状態を示す正面図である。
【図３】図３Ａが清掃具を柄に取り付ける前の状態の側面図であり、図３Ｂが清掃具を柄に取り付けた状態の側面図である。
【図４】図４Ａが電車のキセ（ルーバー）を下方から見た図であり、図４Ｂがキセの断面図である。
【図５】清掃具によりキセの清掃を行うときの清掃具の状態を示す説明図である。
【図６】清掃具の変形例を示す正面図である。
【図７】清掃具の変形例を示す正面図である。
【図８】清掃具の変形例を示す正面図である。
【図９】清掃具の変形例を示す正面図である。
【考案を実施するための形態】
【００１４】
以下に本開示の実施形態を図面と共に説明する。
［実施形態］
（１−１）全体構成
図１Ａ−１Ｃに、本実施形態の清掃具１を示す。この清掃具１は、清掃具１単体での使用も可能であるが、図２に示されるように、柄部材２を取り付けて用いることで、例えば手の届きにくい位置の清掃などを容易に行うことができる。
【００１５】
以下の説明において登場する前後、左右などの方向は、清掃具１の形状を説明するために便宜的に用いているものであって、清掃具１の使用態様などを限定するものではない。
清掃具１は、弾性を有する部材である。本実施形態では、スポンジ状の部材にて構成されている。それにより、適度な強度を維持しつつ、弾性変形により清掃対象物の表面に良好に接触し、清掃対象物の清掃を好適に実現することができる。
【００１６】
清掃具１は全体として略矩形であり、図１Ａにおける上方側が、清掃対象物に当接する側となる。清掃具１は、基部１１と、基部１１に設けられる複数の突出部１２と、基部１１に設けられる連結部１３と、を有する。基部１１と突出部１２は前後方向の厚さが同一であるが、連結部１３は基部１１の２倍の厚さとなっている。
【００１７】
複数の突出部１２は、清掃具１における清掃対象物に当接する側の端部、即ち上側の端部に設けられ、左右方向に並べて配置されている。これら複数の突出部１２は、いずれも略同一方向に向かって突出している。より具体的には、左右方向に対して傾斜する方向である右上方向に向かって突出している。
【００１８】
複数の突出部１２の突出方向について別の言い方をすると、突出方向は、突出部１２の並ぶ方向である左右方向と複数の突出部１２の突出方向とを含む平面に関して、左右方向に対して傾斜する右上方向である。
【００１９】
各突出部１２は、スポンジ材料に対して前後方向の切り込みを入れることで形成してもよい。隣接する突出部１２の間は、細いスリット２１により区切られている。即ち、清掃具１における清掃対象物に当接する側の面（上側面１２ａ）には、該上側面から内側（下側）に向って略同一方向に延び、かつ、左右方向に広がる上側面１２ａに対して傾斜する左下方向に延びる複数のスリット２１が、左右方向に並べて形成されている。
【００２０】
各突出部１２は、前後方向、つまり厚さ方向に関しては形状が変化しない。各突出部１２の上側の先端は同一平面上に位置している。右上方の端部は面取りが為されている。
なお、複数の突出部１２それぞれの突出方向の傾斜角度は、左右方向に関する突出部１２の位置に応じて徐々に変化する。より具体的には、右側の突出部１２ほど突出方向が上下方向に近く、左側の突出部１２ほど突出方向が左右方向に近い。左右方向に対する傾斜角度は、右側の突出部１２ほど大きな角度となる。別の言い方をすると、複数のスリット２１の上側面１２ａに対する傾斜角度は、左右方向に関するスリット２１の形成される位置に応じて徐々に変化する。右側のスリット２１ほど、上側面１２ａに対する傾斜角度が大きい。
【００２１】
連結部１３は、柄部材２を連結するための部分であって、基部１１の下方に設けられている。この連結部１３は、スポンジ材料を重ねて固定することで形成されており、それにより、上述したように清掃具１におけるその周囲の部分よりも厚くなっている。もちろん連結部１３の構成方法はこれに限定されず、連結部１３と同じ厚さに形成したスポンジ材料の一部を切り取ることにより基部１１や突出部１２を形成してもよい。
【００２２】
（１−２）柄部材への連結
清掃具１の柄部材２への取り付け（連結）について、図３Ａ−３Ｂを用いて説明する。柄部材２は、一対の挟持部３１を有しており、レバー３２を操作することにより一対の挟持部３１が開閉する。図３Ｂに示されるように、一対の挟持部３１に連結部１３を挟み込むことで柄部材２が清掃具１を保持する。連結部１３は十分な厚さを有しているため、挟持部３１により強固に挟み込むことができる。連結部１３は基部１１よりも厚いため、挟み込まれた部分が薄くなってしまい、その部分で清掃具１が折れ曲がってしまうことが抑制される。
【００２３】
（１−３）清掃対象物に対する清掃作業
次に、清掃対象物について説明する。本実施形態の１は、複数の長尺状の羽板を有するルーバー形状の清掃対象物を良好に清掃することができる。例えば、図４Ａ−４Ｂに示されるように、電車のエアコン送風口に配置される、いわゆるキセ４１の清掃に好適である。キセ４１の断面は、図４Ｂに示すように、複数の羽板４２の多くが、上下方向に対して傾斜して配置されている。
【００２４】
上述した清掃具１は、図１に示すように、複数の突出部が、その先端の並ぶ方向に対して傾斜しているため、図５に示すように、清掃具１を下方からキセ４１に挿入すると、複数の羽板４２の間に複数の突出部１２がスムーズに挿入され、弾性変形して収まる。弾性変形した突出部１２は羽板４２に良好に接触する。この状態で清掃具１を羽板４２の長尺方向に動かすことで、羽板４２の表裏を同時に清掃することができる。
【００２５】
（１−４）対応関係
上記実施形態における左右方向が、本開示における所定方向の一例である。また右上方向又は左下方向が、所定方向に対して傾斜する方向の一例である。なお、ここでいう傾斜とは、左右方向に対して直交しておらず、左右方向に対して斜めの状態であることを意味する。
【００２６】
また、上記実施形態における柄部材２が、本開示の把持具の一例である。
（１−５）効果
本開示の清掃具１であれば、キセ４１のように、長尺状の複数の羽板を含むルーバーのような清掃対象物を簡便に清掃することができる。
【００２７】
また清掃具１では、複数の突出部１２の突出方向（スリット２１の方向）が左右方向に徐々に変化するため、図４Ｂのキセ４１のように羽板４２の角度が徐々に変化する場合にもその角度の変化の影響を低減でき、清掃を良好に行うことができる。
【００２８】
また、連結部１３に柄部材２を連結することができるので、例えばキセ４１が電車室内の天井部に設けられていても、柄部材２を掴んで容易に清掃を実行することができる。
［２．その他の実施形態］
以上本開示の実施形態について説明したが、本開示は、上記実施形態に何ら限定されることはなく、本開示の技術的範囲に属する限り種々の形態をとり得ることはいうまでもない。
【００２９】
（２ａ）上記実施形態では、全体として厚みのある略矩形の清掃具１を例示したが、略矩形の清掃具１は本開示の一例に過ぎず、清掃具の全体形状は様々な形状とすることができる。
【００３０】
（２ｂ）上記実施形態では、突出部１２（スリット２１）の傾斜角度が左右方向に関して徐々に変化する構成を例示したが、傾斜角度が変化しないように構成されていてもよい。
【００３１】
また、例えば図６に示す清掃具１０１のように、突出部１１２の突出方向が徐々に変化する結果、全体のうちの一部の突出部１１２において突出方向が左右方向と直交する上下方向になっていてもよい。この場合、スリット１２１の一部が左右方向と直交する上下方向に延びていてもよい。なお清掃具１０１において、基部１１１及び連結部１１３は、基部１１および連結部１３と同様の構成とすることができる。
【００３２】
（２ｃ）上記実施形態では、清掃具１をスポンジ材料にて構成する例を開示した。しかしながら、清掃具１はどのような材料で形成されていてもよい。なお、清掃具１を樹脂発泡材料、ゴム、エラストマー等の弾性部材を含めて構成することで、清掃具１に弾性を付与することができ、清掃性能を高めることができる。
【００３３】
（２ｄ）上記実施形態では、清掃具１はスポンジ材料にて構成される例を開示した。しかしながら、複数の部材によって構成されていてもよい。
例えば図７に示される清掃具２０１のように、棒状の把持部２０２と、基部２１１と、複数の突出部２１２とを備え、それぞれが別の部材により構成されていてもよい。例えば把持部２０２及び基部２１１は、木、金属、及び合成樹脂のいずれかにより構成してもよい。また突出部２１２は弾性を有する合成樹脂に限らず、布、不織布、紙などを放射状や筒状に構成した清掃体を用いることができる。これらの清掃体を用いる場合には、基部２１１に設けられた複数の芯材２２１によって清掃体を傾斜した状態に保持するように構成されていてもよい。また、把持部２０２は基部２１１に対して着脱可能であってもよいし、着脱不能に固定されていても良い。
【００３４】
（２ｅ）上記実施形態では、柄部材２が連結部１３を挟み込むことで清掃具１と柄部材２とが連結する構成を例示したが、これ以外の機構により連結されるように構成されていてもよい。例えば図８に示される清掃具３０１のように、連結部３１３は棒状の把持具３０２を挿入可能に構成されており、把持具３０２を連結部３１３に挿入することで連結が実現されるように構成されていてもよい。清掃具３０１において、基部３１１及び突出部３１２は、基部１１および連結部１３と同様の構成とすることができる。
【００３５】
（２ｆ）上記実施形態では、連結部によって把持具と連結する構成を例示したが、予め把持具と一体に構成されていてもよい。図９に示す清掃具４０１は、基部４１１に突出部４１２と把持具４０２が設けられている。把持具４０２は、貫通孔４２１を備え、手で握れるように構成されている。清掃具４０１において、基部４１１及び突出部４１２は、基部１１および突出部１２と同様の構成とすることができる。
【符号の説明】
【００３６】
１…清掃具、２…柄部材、１１…基部、１２…突出部、１２ａ…上側面、１３…連結部、２１…スリット、３１…挟持部、３２…レバー、４１…キセ、４２…羽板、１０１…清掃具、１１１…基部、１１２…突出部、１１３…連結部、１２１…スリット、２０１…清掃具、２０２…把持部、２１１…基部、２１２…突出部、２２１…芯材、３０１…清掃具、３０２…把持具、３１１…基部、３１２…突出部、３１３…連結部、４０１…清掃具、４０２…把持具、４１１…基部、４１２…突出部、４２１…貫通孔
【図１】
0003216115.tif 000003
【図２】
0003216115.tif 000004
【図３】
0003216115.tif 000005
【図４】
0003216115.tif 000006
【図５】
0003216115.tif 000007
【図６】
0003216115.tif 000008
【図７】
0003216115.tif 000009
【図８】
0003216115.tif 000010
【図９】
0003216115.tif 000011
【手続補正書】
【提出日】平成30年3月7日(2018.3.7)
【手続補正１】
【補正対象書類名】実用新案登録請求の範囲
【補正対象項目名】請求項８
【補正方法】変更
【補正の内容】
【請求項８】
請求項１から請求項３、請求項１から請求項３のいずれか１項を引用する請求項６、及び請求項１から請求項３のいずれか１項を引用する請求項６を引用する請求項７、のいずれか１項に記載の清掃具であって、
前記清掃具は、前記突出部の少なくとも一部がスポンジ状の部材により構成されている、清掃具。